(57)【要約】【課題】  場所に応じて所定の機能を自動的に起動する携帯端末において、場所情報と対応付けて起動すべき機能を、簡易に登録出来るようにする。【解決手段】  自携帯端末の現在位置に係る情報を取得する位置情報取得手段と、所定の場所情報と前記複数の機能のいずれか１以上の起動に係る起動情報を対応付けて登録する起動情報登録手段と、自携帯端末の現在位置が前記起動情報登録手段に登録されているいずれかの機能と対応付けられた場所情報の範囲内であった場合に当該場所情報に対応付けられている１以上の機能を自動的に起動する自動起動手段と、を有し、前記起動情報登録手段は、予め定められた特定操作が為された場合に、自携帯端末の現在位置を含む場所情報と前記特定操作が為された際に動作していた機能または前記特定操作により指定された機能の起動に係る情報を対応付けて登録する。【選択図】    図１
2015119220.tif 000002
【特許請求の範囲】
【請求項１】
複数の機能を備える携帯端末において、
自携帯端末の現在位置に係る情報を取得する位置情報取得手段と、所定の場所情報と前記複数の機能のいずれか１以上の起動に係る起動情報を対応付けて登録する起動情報登録手段と、自携帯端末の現在位置が前記起動情報登録手段に登録されているいずれかの機能と対応付けられた場所情報の範囲内であった場合に当該場所情報に対応付けられている１以上の機能を自動的に起動する自動起動手段と、を有し、
前記起動情報登録手段は、予め定められた特定操作が為された場合に、自携帯端末の現在位置を含む場所情報と前記特定操作が為された際に動作していた機能または前記特定操作により指定された機能の起動に係る情報を対応付けて登録することを特徴とする場所に応じた機能を自動起動する携帯端末。
【請求項２】
請求項１に記載の携帯端末であって、
前記起動情報登録手段に登録する機能は、自携帯端末が備える前記複数の機能の内の、予め定められた１以上の機能であることを特徴とする場所に応じた機能を自動起動する携帯端末。
【請求項３】
請求項１または２に記載の携帯端末であって、
前記特定操作が為された時に、自携帯端末の現在位置を含む場所情報と対応付けられた所定の機能の起動に係る情報が既に登録されている場合に、
前記起動情報登録手段は、自携帯端末の現在位置を含む場所情報と前記特定操作が為された際に動作していた機能または前記特定操作により指定された機能の起動に係る情報を、予め定められたルールに従って、またはユーザからの選択操作に従って、前記既に登録されている機能を削除するか否かを決定することを特徴とする場所に応じた機能を自動起動する携帯端末。
【請求項４】
請求項１〜３のいずれかに記載の携帯端末であって、
前記起動情報登録手段は、場所情報と、所定の機能の起動に係る情報と、前記機能の起動に係る条件を対応付けて登録することを特徴とする場所に応じた機能を自動起動する携帯端末。
【発明の詳細な説明】
【技術分野】
【０００１】
本発明は、場所に応じた機能を自動起動する携帯端末に関する。特に、場所に応じて自動起動する機能を簡易に登録出来る携帯端末に関する。
【背景技術】
【０００２】
携帯電話端末の着信鳴動方式において、場所に応じて着信時の呼出モード等の動作モードを切り替えることがある。例えば、普段は着信時に呼出音を鳴動するモードに設定していた場合、会議中や電車内等ではバイブレータ振動等の無鳴動な着信呼出モードに設定を変更する必要がある。この場所に応じた動作モードの設定変更は、ユーザが手動で設定変更するのが一般的であり、その都度に設定変更するのは面倒であると共に、設定変更を忘れてしまう、または設定変更したモードを元に戻すことを忘れてしまうことがあった。
【０００３】
これを改善する技術として、所定の場所を示すエリア情報と情報受信通知機能を含む機能を対応させて記憶する記憶手段と、現在の位置を検出する検出手段と、前記検出手段により検出された位置と前記エリア情報とを比較し、前記記憶手段から前記エリア情報に対応した機能を抽出する抽出手段と、前記抽出された機能を設定する設定手段と、を備える携帯端末に関する技術がある（例えば、特許文献１）。
【０００４】
しかしながら、特許文献１に記載された技術は、所定の場所を示すエリア情報と情報受信通知機能を含む機能を対応させて予め登録しておく必要があり、この登録作業が面倒であった。
【先行技術文献】
【特許文献】
【０００５】
【特許文献１】特開２００２−３３０４７０号公報
【発明の概要】
【発明が解決しようとする課題】
【０００６】
そこで、本発明の課題は、場所に応じて所定の機能を自動的に起動する携帯端末において、場所情報と対応付けて起動すべき機能を、簡易に登録出来るようにすることにある。
【課題を解決するための手段】
【０００７】
上記課題を解決するために、本発明は、複数の機能を備える携帯端末において、自携帯端末の現在位置に係る情報を取得する位置情報取得手段と、所定の場所情報と前記複数の機能のいずれか１以上の起動に係る起動情報を対応付けて登録する起動情報登録手段と、自携帯端末の現在位置が前記起動情報登録手段に登録されているいずれかの機能と対応付けられた場所情報の範囲内であった場合に当該場所情報に対応付けられている１以上の機能を自動的に起動する自動起動手段と、を有し、前記起動情報登録手段は、予め定められた特定操作が為された場合に、自携帯端末の現在位置を含む場所情報と前記特定操作が為された際に動作していた機能または前記特定操作により指定された機能の起動に係る情報を対応付けて登録することを特徴とする。
【発明の効果】
【０００８】
本発明によれば、場所と対応付けて起動すべき機能を簡易に登録出来る、場所に応じた機能を自動起動する携帯端末を提供することが出来る。
【図面の簡単な説明】
【０００９】
【図１】本発明による携帯端末１のブロック構成図
【図２】起動場所／範囲／起動機能／起動条件登録部１４に登録されている内容の例
【図３】本発明による携帯端末１の動作フローチャート図
【発明を実施するための形態】
【００１０】
以下、本発明の実施の形態（実施例）について、図面を用いて説明する。図１は、本発明による携帯端末１(以下、本端末１と略す）のブロック構成図である。本実施例において、本端末１として、携帯電話端末を例に説明するが、本端末１は携帯音響機器や携帯情報機器等の非電話系の携帯機器の一般に適用可能である。
【００１１】
本端末１は、制御部１０、無線通信部１１、電話機能部１２、ＧＰＳ(Ｇｌｏｂａｌ      Ｐｏｓｉｔｉｏｎｉｎｇ Ｓｙｓｔｅｍ）部１３、起動場所／範囲／起動機能／起動条件登録部１４、表示部１５、ハンドセット１６、操作部１７から構成される。
【００１２】
制御部１０は、本端末１内の各部を制御すると共に、各部間のデータを中継し、ＧＰＳ部１３(後述）を経由して本端末１の現在位置情報を取得した際、現在位置に対応する機能を起動する。また、本端末１の操作者による特定操作を検出した際、ＧＰＳ部１３を経由して本端末１の現在位置情報を取得し、特定操作により指定された機能を特定し、前記現在位置情報と範囲と特定された機能と前記機能の起動条件を対応付けて前記起動場所／範囲／起動機能／起動条件登録部１４へ登録する。なお、制御部１０の動作の詳細は後述する。
【００１３】
なお、前記ＧＰＳ部１３を経由して取得した位置情報は、前記制御部１０が記憶しておく。
【００１４】
無線通信部１１は、携帯電話網(図示せず)との接続手段であって、携帯電話網と制御部１０との間で発着信に係る制御信号や音声信号を中継する。
【００１５】
電話機能部１２は、制御部１０、表示部１５、ハンドセット１６、操作部１７との間で、データを処理，中継し、電話装置としての機能に係る制御，処理を実行する手段である。なお、一般的な電話機能に係る制御，処理については説明を省略する。
【００１６】
ＧＰＳ部１３は、ＧＰＳ衛星(図示せず)からの電波信号を受信し、受信した電波信号を解析して本端末１の現在位置情報を取得する手段であり、取得した現在位置情報を制御部１０へ中継する。なお、ＧＰＳ部１３は、現在位置情報を取得する手段の一例であって、その他の位置情報取得手段（例えば、複数の無線通信基地局からの受信電波の強度を解析する手段等）であってもよい。
【００１７】
起動場所／範囲／起動機能／起動条件登録部１４は、制御部１０からの制御に応じて、場所に応じて起動すべき機能を、起動場所と起動範囲と起動条件と対応付けて登録する。制御部１０はこの起動場所／範囲／起動機能／起動条件登録部１４に登録されている内容を参照して、起動すべき機能を判定する。
【００１８】
表示部１５は、電話機能部１２から出力される情報（電話番号情報、ガイダンス情報、アラーム情報等）をＬＣＤ等の表示デバイスで表示する手段である。
【００１９】
ハンドセット１６は、一般的な所謂受話器であって、操作者からの音声を電気信号に変換するマイク(図示せず)からの音声信号を電話機能部１２へ出力し、また電話機能部１２から出力される音声信号をスピーカ(図示せず)で音声に復元する手段である。
【００２０】
操作部１７は、操作者がキー操作した操作内容を電話機能部１２へ通知する手段であり、電話番号を入力するテンキーや短縮ダイヤルキー、各種機能の起動に係るファンクションキー等を備えている(図示せず)。
【００２１】
図２は、操作部１７への特定操作（例えば、＃や＊を先頭に含むキー操作）により登録される、起動場所／範囲／起動機能／起動条件登録部１４の内容例を模式的に表した図である。
【００２２】
図示するように、レコード番号（列２００）と、起動場所（列２０１）と、起動すべき起動場所の範囲（列２０２）と、その起動場所／範囲内において起動すべき起動機能（列２０３）と、その起動条件（列２０４）とが対応付けられて登録される。
【００２３】
列２０１（起動場所）には、座標情報とその場所の名称が登録される。座標情報は特定操作が為された時に、制御部１０がＧＰＳ部１３から取得した座標データであり、場所の名称は後から手入力した情報または所定の地図データ（図示せず）からその座標に対応する場所の名称を検索した情報である。
【００２４】
列２０２（範囲）には、列２０１に登録されている起動場所を中心とした有効範囲が登録されている。この範囲の広さは任意であり、操作部１７を操作してその範囲の広さを入力することが可能である。ただし、操作を簡略化するために、登録時にその範囲指定が無かった場合には、予め設定されている既定値（例えば、約２０ｍ）が自動的に登録される。
【００２５】
列２０３（起動機能）には、起動場所（列２０１）／範囲（列２０２）に対応して起動すべき起動機能が登録される。登録できる機能は本端末１が備える複数の機能のいずれか１以上の機能である。
【００２６】
この登録すべき機能の選択は、ａ：特定操作が為された時に起動していた機能（例えば、マナーモード）、ｂ：特定操作が為された後に最初に起動した機能（例えば、マナーモード解除）、ｃ：特定操作が為された後に表示部１５に表示された候補機能のいずれか１以上の選択された機能（例えば、プレゼンス情報通知）、いずれかである。
【００２７】
このａ〜ｃの選択操作の設定は任意であり、例えば、特定操作して一定時間内にｂまたはｃに係る操作が為されなかった場合に、自動的にａを自動的に選択するようにしてもよい。また、特定操作した時に、予め登録されている起動機能の候補が起動中でなかった場合に、ａを省略してｂまたはｃに係る操作を促すようにしてもよい。
【００２８】
ところで、場所に応じて登録すべき機能の候補は、予め絞り込んでおいた方が登録に係る操作性に優れる。そこで、本端末１は、制御部１０内の記憶部（図示せず）に、場所に応じて登録すべき機能の候補のリストを予め記憶しておいてもよい。
【００２９】
列２０４（起動条件）には、列２０３の起動機能を起動する条件が登録される。例えば、スケジュールに係る時刻条件や本端末１の状態条件等を自由に登録することが出来る。この起動条件の登録は操作部１７を操作して登録するが、列２０３（起動機能）の登録後一定時間内に操作が無ければ、起動条件無しとして登録される。起動条件無しの場合、その場所の範囲内（列２０１／列２０２）内では、無条件で列２０３の機能が自動的に起動することになる。
【００３０】
以上の各起動機能等が登録された状態で、制御部１０は、本端末１の現在位置を取得する毎に（定期／非定期）、起動場所／範囲／起動機能／起動条件登録部１４を参照し、いずれかの機能を起動すべきか否かを判定する。
【００３１】
例えば、レコード番号Ｎｏ．１の行では、Ａ地点（会議室）から約２０メートル以内の範囲に本端末１が位置している場合において、毎週火曜日の午前１０時から午前１１時の間、着信鳴動禁止機能とプレゼンス情報通知機能を起動することを示している。
【００３２】
ここで、着信鳴動禁止機能は着信時に着信鳴動を禁止する機能（例えば、一般的なマナーモード）であり、プレゼンス情報通知機能は予め登録されている通知先（例えば、プレゼンスサーバ）へ、現在位置に係る情報を含むプレゼンス情報（例えば、Ａ地点の会議室に現在居る旨の情報）を通知する機能である。
【００３３】
この着信鳴動禁止機能やプレゼンス情報通知機能は、列２０３に登録する起動機能の一例であって、例えば、特定の駅の範囲に入った場合に、列車の時刻表データが掲載されたＷｅｂサイトを自動的にアクセスする機能や、本端末１に登録されているスケジュールを表示する機能等、その場所／範囲毎に本端末１の操作者が望む１以上の機能を自由に登録することが可能である。
【００３４】
図３は、本発明による本端末１の動作フローチャート図である。以下、図１および図２を併用して、本端末１の動作フローを説明する。
【００３５】
本フローは、本端末１の電源が投入された時にスタートし（Ｓ３００）、待機状態（Ｓ３１０とＳ３２０の各ＮＯの循環）において、制御部１０は、現在位置情報を取得したか否か（Ｓ３１０）、起動場所情報登録に係る特定操作の有無（Ｓ３２０）を監視している。
【００３６】
Ｓ３１０において、制御部１０が現在位置情報を取得するのは、定期的なタイミングの到来か、非定期な現在位置情報の取得操作が為された場合であり、本発明の場所に応じた機能を自動起動するモードをＯＮに設定していた場合、制御部１０は定期的（例えば、５分毎）に本端末１の現在位置情報を取得するようにするのが望ましい。
【００３７】
制御部１０が現在位置情報を取得した場合（Ｓ３１０，ＹＥＳ）、制御部１０は、起動場所／範囲／起動機能／起動条件登録部１４に登録されている起動場所（列２０１）、範囲（列２０２）を参照し、本端末１の現在位置がいずれかの機能（列２０３）を起動すべき場所（列２０１）／範囲（列２０２）の内であるか否かを判定し、いずれかの機能を起動すべき範囲内であった場合（Ｓ３１１，ＹＥＳ）、その起動すべき機能に対応する起動条件（列２０４）を参照し、現在時刻や本端末１の各種機能の設定状況が当該起動条件に合致する機能を選択する（Ｓ３１２）。
【００３８】
Ｓ３１２において起動すべき機能候補が複数あった場合は、所定のルール（例えば、最新の起動機能を選択）で自動選択するか、複数の機能候補を表示部１５に表示し本端末１の操作者に選択させる。そして、選択された機能を起動し（Ｓ３１３）、Ｓ３１０へ戻る。
【００３９】
Ｓ３１１において、現在位置がいずれかの機能（列２０３）を起動すべき場所（列２０１）の範囲（列２０２）内ではなかった場合（Ｓ３１１，ＮＯ）、Ｓ３１２，Ｓ３１３をスキップし、いずれの機能も起動せずにＳ３１０へ戻る。
【００４０】
Ｓ３２０において、起動場所情報登録の特定操作（例えば、＃＃押下）が為された場合（Ｓ３２０，ＹＥＳ）、制御部１０は、ＧＰＳ部１３を起動して現在位置情報を取得し（Ｓ３２１）、現在起動中の機能または特定操作により指定された起動機能とその起動条件を特定する（Ｓ３２２）。なお、起動機能とその起動条件を特定（選択）する方法は、前述した図２の説明内容の一部と同様であるので、その説明は繰り返さない。
【００４１】
そして、取得した現在位置情報と、特定された機能と、その起動条件を対応付けて、起動場所／範囲／起動機能／起動条件登録部１４に登録する（Ｓ３２３）。なお、Ｓ３２３において現在位置が起動場所（図２の列２０１）およびその場所に対応する機能（図２の列２０３）が既に登録されていた場合は、上書／追加を所定のルール（例えば、鳴動／無鳴動等の相反する機能の場合は上書）で自動選択する、または本端末１の操作者に選択させる。なお、Ｓ３２３において、範囲（図２の列２０２）は既定値（例えば、約２０ｍ）が自動的に登録される。
【００４２】
Ｓ３２４において、操作部１７から、特定操作に既定値ではない“範囲”指定（例えば１００メートル）が入力された場合（Ｓ３２４，ＹＥＳ）、Ｓ３２３で登録した範囲（既定値）を、指定された範囲に登録内容を修正し（Ｓ３２５）、Ｓ３１０へ戻る。Ｓ３２４においての範囲指定が無い場合（Ｓ３２４，ＮＯ）、Ｓ３２５をスキップして、Ｓ３１０へ戻る。
【００４３】
以上、本発明の実施形態について説明した。本実施形態によれば、場所と対応付けて起動すべき機能を簡易に登録出来る、場所に応じた機能を自動起動する携帯端末を提供することが出来る。
【００４４】
なお、起動場所／範囲／起動機能／起動条件登録部１４の内容を、登録後のいつでも編集することが可能であることは言うまでもない。例えば、移動中の忙しい中で現在位置に対応する何らかの起動機能を登録したい場合、取りあえず、特定操作（例えば、＃＃）するだけで、その現在位置を起動場所として登録しておき、その範囲，起動機能，起動条件は既定値またはブランクとしておけばよい。さらに、その登録作業が完了していないことを表示部１５のどこかに表示しておけば、後で未登録項目を登録することを忘れることを防止出来る。
【００４５】
ところで、本実施形態において、本端末１は一般的な携帯電話網と繋がる携帯電話端末として説明したが、本端末１は内線電話システムを構成する電話主装置や構内交換機に帰属する無線内線端末であっても良い。その場合、現在位置情報の取得手段は、ＧＰＳ部１３の代わりに、無線内線端末を収容する電話主装置の配下の複数の無線基地局からの電波強度を解析して現在位置情報を取得するようにしても良い。
【００４６】
また、本実施形態において、本端末１は携帯電話網と直接接続される一般的な携帯電話端末として説明したが、本発明はこれに限定されない。例えば、本端末１はＩＰ（Internet Protocol）対応の携帯電話端末であってもよい。
【符号の説明】
【００４７】
１・・・携帯端末
１０・・・制御部
１１・・・無線通信部
１２・・・電話機能部
１３・・・ＧＰＳ部
１４・・・起動場所／範囲／起動機能／起動条件登録部
１５・・・表示部
１６・・・ハンドセット
１７・・・操作部
【図１】
2015119220.tif 000003
【図２】
2015119220.tif 000004
【図３】
2015119220.tif 000005